(57)【要約】【課題】定着装置のカバー部材を操作者が閉め忘れるのを確実に防止する。【解決手段】本発明は、回転可能に設けられる第１回転体２１と、第１回転体２１に圧接して第１回転体２１との間に定着ニップ２９を形成し、回転可能に設けられる第２回転体２２と、第１回転体２１及び第２回転体２２を収容するハウジング２０と、ハウジング２０に対して開閉可能に設けられるカバー部材２３と、を備えた定着装置１６と、定着装置１６を収容する装置本体と、装置本体に対して開閉可能に設けられ、定着装置１６の少なくとも一部を覆う外装カバーと、カバー部材２３の開閉を検知する検知機構と、カバー部材２３が開放されていることを検知機構が検知した場合に、カバー部材２３が開放されていることを操作者に報知する報知部と、を備えていることを特徴とする。【選択図】図２
2014215523.tif 000002
【特許請求の範囲】
【請求項１】
回転可能に設けられる第１回転体と、該第１回転体に圧接して該第１回転体との間に定着ニップを形成し、回転可能に設けられる第２回転体と、前記第１回転体及び前記第２回転体を収容するハウジングと、該ハウジングに対して開閉可能に設けられるカバー部材と、を有する定着装置と、
該定着装置を収容する装置本体と、
該装置本体に対して開閉可能に設けられ、前記定着装置の少なくとも一部を覆う外装カバーと、
前記カバー部材の開閉を検知する検知機構と、
前記カバー部材が開放されていることを前記検知機構が検知した場合に、前記カバー部材が開放されていることを操作者に報知する報知部と、を備えていることを特徴とする画像形成装置。
【請求項２】
原稿を読み取るための読取ユニットと、該読取ユニットを水平方向移動可能に支持する筐体と、を有する画像読取装置を更に備え、
前記検知機構の少なくとも一部は、前記筐体に収容されていることを特徴とする請求項１に記載の画像形成装置。
【請求項３】
前記カバー部材は、上下方向に回転することで開閉されるように構成され、
前記筐体は、前記カバー部材の上側に配置され、
前記検知機構は、
発光部及び受光部を備えた光学式センサーと、
前記発光部から前記受光部に至る光路を連通させる連通位置と、前記発光部から前記受光部に至る光路を遮断する遮断位置と、の間で揺動可能なアクチュエーターと、を備え、
前記カバー部材が上方に回転して開放されると、前記カバー部材が前記アクチュエーターを押圧し、該アクチュエーターが前記連通位置から前記遮断位置まで揺動するか又は前記遮断位置から前記連通位置まで揺動することを特徴とする請求項２に記載の画像形成装置。
【請求項４】
前記筐体の底壁には、貫通穴が形成され、
前記アクチュエーターは、前記貫通穴を貫通し、前記底壁の下方に突出していることを特徴とする請求項３に記載の画像形成装置。
【請求項５】
前記カバー部材は、前記アクチュエーターを押圧可能な突起部を備えていることを特徴とする請求項３又は４に記載の画像形成装置。
【請求項６】
前記外装カバーと干渉する干渉位置と、前記外装カバーと干渉せずに該外装カバーの閉止を許容する干渉解除位置と、の間で回転可能なレバーを更に備え、
前記カバー部材が閉止されると、前記カバー部材が前記レバーを押圧し、該レバーが前記干渉位置から前記干渉解除位置まで回転することを特徴とする請求項１〜５のいずれか１項に記載の画像形成装置。
【請求項７】
前記報知部は、前記カバー部材が開放されていることを前記検知機構が検知した場合に、前記カバー部材が開放されている旨を表示する操作表示部であることを特徴とする請求項１〜６のいずれか１項に記載の画像形成装置。
【発明の詳細な説明】
【技術分野】
【０００１】
本発明は、用紙にトナー像を定着させる定着装置を備えた画像形成装置に関する。
【背景技術】
【０００２】
従来、複合機等の電子写真方式の画像形成装置は、用紙にトナー像を定着させる定着装置を備えている。この定着装置は、第１回転体（例えば、定着ローラーや定着べルト）と、この第１回転体に圧接する第２回転体（例えば、加圧ローラーや加圧ベルト）と、第１回転体及び第２回転体を収容するハウジングと、を備えている。そして、第１回転体と第２回転体の間に形成される定着ニップを用紙が通過することで、用紙とトナー像が加熱及び加圧され、用紙にトナー像が定着されるようになっている。
【０００３】
例えば、特許文献１には、ハウジング（特許文献１の「定着フレーム１４」参照）と、ハウジングに対して開閉可能なカバー部材（特許文献１の「定着カバー１５」参照）と、を有する定着装置が開示されている。この従来技術においては、定着装置を収容する装置本体（特許文献１の「本体ケーシング２」参照）に外装カバー（特許文献１の「リヤカバー４」参照）が開閉可能に設けられており、この外装カバーによって定着装置の一部が覆われている。
【０００４】
このような構成の画像形成装置において、定着装置の内部でＪＡＭ（紙詰まり）が発生した場合、ユーザーやサービスマン等の操作者は、外装カバーを開放した後、定着装置のカバー部材を開放し、ＪＡＭ処理を行う。ＪＡＭ処理が終了したら、操作者は、定着装置のカバー部材を閉止した後、外装カバーを閉止する。
【先行技術文献】
【特許文献】
【０００５】
【特許文献１】特開２００９−１９８９９６号公報
【発明の概要】
【発明が解決しようとする課題】
【０００６】
しかしながら、例えばユーザーがＪＡＭ処理を行うような場合には、ＪＡＭ処理の終了後に、定着装置のカバー部材をユーザーが閉め忘れてしまう可能性がある。このような定着装置のカバー部材の閉め忘れが発生すると、定着装置のカバー部材が開放されたままの状態でユーザーが外装カバーを閉止しようとして、画像形成装置の構成部品（例えば、定着装置や外装カバー）の一部が破損する虞がある。
【０００７】
そこで、本発明は上記事情を考慮し、定着装置のカバー部材を操作者が閉め忘れるのを確実に防止することを目的とする。
【課題を解決するための手段】
【０００８】
本発明の画像形成装置は、回転可能に設けられる第１回転体と、該第１回転体に圧接して該第１回転体との間に定着ニップを形成し、回転可能に設けられる第２回転体と、前記第１回転体及び前記第２回転体を収容するハウジングと、該ハウジングに対して開閉可能に設けられるカバー部材と、を有する定着装置と、該定着装置を収容する装置本体と、該装置本体に対して開閉可能に設けられ、前記定着装置の少なくとも一部を覆う外装カバーと、前記カバー部材の開閉を検知する検知機構と、前記カバー部材が開放されていることを前記検知機構が検知した場合に、前記カバー部材が開放されていることを操作者に報知する報知部と、を備えていることを特徴とする。
【０００９】
このような構成を採用することで、カバー部材が開放されていることを操作者に認識させることができ、操作者がカバー部材を閉め忘れるのを確実に防止することが可能となる。そのため、カバー部材が開放されたままの状態で操作者が外装カバーを閉止するような事態を回避することが可能となり、これに伴って、画像形成装置の構成部品の破損を防止することができる。
【００１０】
本発明の画像形成装置は、原稿を読み取るための読取ユニットと、該読取ユニットを水平方向移動可能に支持する筐体と、を有する画像読取装置を更に備え、前記検知機構の少なくとも一部は、前記筐体に収容されていても良い。
【００１１】
このような構成を採用することで、筐体の内部のスペースを検知機構の設置スペースとして利用することができ、省スペース化を図ることが可能となる。
【００１２】
前記カバー部材は、上下方向に回転することで開閉されるように構成され、前記筐体は、前記カバー部材の上側に配置され、前記検知機構は、発光部及び受光部を備えた光学式センサーと、前記発光部から前記受光部に至る光路を連通させる連通位置と、前記発光部から前記受光部に至る光路を遮断する遮断位置と、の間で揺動可能なアクチュエーターと、を備え、前記カバー部材が上方に回転して開放されると、前記カバー部材が前記アクチュエーターを押圧し、該アクチュエーターが前記連通位置から前記遮断位置まで揺動するか又は前記遮断位置から前記連通位置まで揺動しても良い。
【００１３】
このような構成を採用することで、簡易な構成によってカバー部材の開閉を確実に検知することが可能となる。
【００１４】
前記筐体の底壁には、貫通穴が形成され、前記アクチュエーターは、前記貫通穴を貫通し、前記底壁の下方に突出していても良い。
【００１５】
このような構成を採用することで、カバー部材によってアクチュエーターを確実に押圧することが可能となる。
【００１６】
前記カバー部材は、前記アクチュエーターを押圧可能な突起部を備えていても良い。
【００１７】
このような構成を採用することで、カバー部材によってアクチュエーターを確実に押圧することが可能となる。
【００１８】
前記外装カバーと干渉する干渉位置と、前記外装カバーと干渉せずに該外装カバーの閉止を許容する干渉解除位置と、の間で回転可能なレバーを更に備え、前記カバー部材が閉止されると、前記カバー部材が前記レバーを押圧し、該レバーが前記干渉位置から前記干渉解除位置まで回転しても良い。
【００１９】
このような構成を採用することで、カバー部材が開放されている状態においては、干渉位置にあるレバーが外装カバーと干渉することで、外装カバーが閉止されにくくなる。そのため、カバー部材が開放されたままの状態で外装カバーが閉止されるような事態を、一層確実に回避することが可能となる。
【００２０】
前記報知部は、前記カバー部材が開放されていることを前記検知機構が検知した場合に、前記カバー部材が開放されている旨を表示する操作表示部であっても良い。
【００２１】
このような構成を採用することで、カバー部材が開放されていることを操作者に確実に認識させることができる。
【発明の効果】
【００２２】
本発明によれば、定着装置のカバー部材を操作者が閉め忘れるのを確実に防止することが可能となる。
【図面の簡単な説明】
【００２３】
【図１】本発明の一実施形態に係る複合機の概略を示す模式図である。
【図２】本発明の一実施形態に係る複合機の定着装置を示す側断面図である。
【図３】本発明の一実施形態に係る複合機において、定着装置のカバー部材とレバーを示す斜視図である。
【図４】本発明の一実施形態に係る複合機において、定着装置のカバー部材の上側部分を示す斜視図である。
【図５】本発明の一実施形態に係る複合機において、読取ユニットが筐体に装着された状態の画像読取装置を示す斜視図である。
【図６】本発明の一実施形態に係る複合機において、読取ユニットが筐体から取り外された状態の画像読取装置を示す斜視図である。
【図７】本発明の一実施形態に係る複合機において、検知機構のアクチュエーターが連通位置にある状態を示す斜視図である。
【図８】本発明の一実施形態に係る複合機において、検知機構のアクチュエーターが遮断位置にある状態を示す斜視図である。
【図９】本発明の一実施形態に係る複合機を示す左後側からの斜視図である。
【図１０】（ａ）は、本発明の一実施形態に係る複合機において、レバーが干渉位置にある状態を示す斜視図である。（ｂ）は、本発明の一実施形態に係る複合機において、レバーが干渉解除位置にある状態を示す斜視図である。
【図１１】本発明の一実施形態に係る複合機を示す前側からの斜視図である。
【図１２】本発明の一実施形態に係る複合機を示すブロック図である。
【図１３】本発明の一実施形態に係る複合機において、定着装置のカバー部材が閉止されている状態を示す斜視図である。
【図１４】本発明の一実施形態に係る複合機において、定着装置のカバー部材が開放されている状態を示す斜視図である。
【発明を実施するための形態】
【００２４】
まず、図１を用いて、複合機１（画像形成装置）の全体の構成について説明する。以下、図１における右側を、複合機１の前側（正面側）とする。各図に付される矢印Ｆｒは、複合機１の前側（正面側）を示している。
【００２５】
図１に示されるように、複合機１は、箱型形状の複合機本体２（装置本体）を備えており、複合機本体２の下部には用紙（図示せず）を収納する給紙カセット３が設けられ、複合機本体２の上部には、排紙トレイ４が設けられている。
【００２６】
複合機本体２の前部には、レーザー・スキャニング・ユニット（ＬＳＵ）で構成される露光器５が配置され、複合機本体２の後部には、画像形成部６が設けられている。画像形成部６には、像担持体である感光体ドラム７が回転可能に設けられており、感光体ドラム７の周囲には、帯電器８と、トナーコンテナ９に接続された現像ユニット１０と、転写ローラー１１と、クリーニング装置１２とが、感光体ドラム７の回転方向（図１の矢印Ｘ参照）に沿って配置されている。
【００２７】
複合機本体２の後部には、下方から上方に向かって用紙の搬送経路１３が設けられている。つまり、本実施形態の複合機１は、所謂「縦搬送」である。搬送経路１３の上流端には給紙部１４が設けられ、搬送経路１３の中流部には、感光体ドラム７と転写ローラー１１によって構成される転写部１５が設けられ、搬送経路１３の下流部には定着装置１６が設けられている。搬送経路１３の後側には、両面印刷用の反転経路１７が設けられている。
【００２８】
複合機本体２の上部には、排紙トレイ４の上方に画像読取装置１８が設けられている。複合機本体２の上端部には、画像読取装置１８の更に上方に、自動原稿送り装置１９が設けられている。
【００２９】
次に、このような構成を備えた複合機１の画像形成動作の一例について説明する。
【００３０】
複合機１に電源が投入されると、各種パラメーターが初期化され、定着装置１６の温度設定等の初期設定が実行される。そして、複合機１に接続されたコンピューター等から画像データが入力され、印刷開始の指示がなされると、以下のようにして画像形成動作が実行される。
【００３１】
まず、帯電器８によって感光体ドラム７の表面が帯電された後、露光器５からのレーザー光（図１の矢印Ｐ参照）により感光体ドラム７に対して画像データに対応した露光が行われ、感光体ドラム７の表面に静電潜像が形成される。次に、トナーコンテナ９から供給されるトナーによって、現像ユニット１０が静電潜像をトナー像に現像する。
【００３２】
一方、給紙部１４によって給紙カセット３から取り出された用紙は、上記した画像形成動作とタイミングを合わせて転写部１５へと搬送され、転写部１５において感光体ドラム７上のトナー像が用紙に転写される。トナー像を転写された用紙は、搬送経路１３を下流側へと搬送されて定着装置１６に進入し、この定着装置１６において用紙にトナー像が定着される。トナー像が定着された用紙は、搬送経路１３の下流端から排紙トレイ４に排出される。なお、感光体ドラム７上に残留したトナーは、クリーニング装置１２によって回収される。
【００３３】
次に、定着装置１６の構成について説明する。
【００３４】
定着装置１６は、複合機本体２の後上部に収容されている。図２に示されるように、定着装置１６は、箱型形状を成すハウジング２０と、ハウジング２０の下部中央に収容される定着ローラー２１（第１回転体）と、ハウジング２０の後部に収容される加圧ローラー２２（第２回転体）と、ハウジング２０の上方を覆うカバー部材２３と、ハウジング２０の後上部に取り付けられるガイド部材２４と、を備えている。
【００３５】
ハウジング２０の下端側には給紙口２５が設けられ、ハウジング２０の上端側には排紙口２６が設けられている。そして、給紙口２５を介してハウジング２０に導入された用紙が、排紙口２６を介してハウジング２０から排出されるようになっている。
【００３６】
ハウジング２０の前部には、第１フレーム部材２７が設けられている。第１フレーム部材２７には、定着ローラー収容部２８が形成されている。
【００３７】
ハウジング２０の後部には、第２フレーム部材３０が設けられている。第２フレーム部材３０は、用紙の搬送経路１３を介して第１フレーム部材２７と対向している。第２フレーム部材３０には、加圧ローラー収容部３１が形成されている。第２フレーム部材３０の前上部には、排出スイッチ３２が設けられている。排出スイッチ３２は、支点３３を中心に回転することで、搬送経路１３及び反転経路１７を閉止する姿勢（図２の実線参照）と、搬送経路１３及び反転経路１７を開放する姿勢（図２の二点鎖線参照）と、を切り替え可能となっている。
【００３８】
定着ローラー２１は、左右方向に長い形状を成している。定着ローラー２１は、例えば、アルミニウムや鉄等の金属から成る円筒状の芯材と、この芯材に周設され、シリコンゴム等から成る弾性層と、この弾性層を被覆し、ＰＦＡ等のフッ素樹脂から成る離型層と、を備えている。
【００３９】
定着ローラー２１は、ハウジング２０の第１フレーム部材２７に設けられた定着ローラー収容部２８に収容されている。定着ローラー２１は、軸受（図示せず）を介してハウジング２０に回転可能に支持されている。
【００４０】
定着ローラー２１の内部空間には、ヒーター３４（熱源）が収容されている。定着ローラー２１の上側（用紙の搬送方向における下流側）には分離爪３５が設けられている。分離爪３５は、付勢体（図示せず）の付勢力によって定着ローラー２１の外周面に当接している。これにより、分離爪３５によって定着ローラー２１の外周面から用紙を分離できるようになっている。
【００４１】
加圧ローラー２２は、左右方向に長い形状を成している。加圧ローラー２２は、例えば、アルミニウムや鉄等の金属から成る円筒状の芯材と、この芯材に周設され、シリコンゴム等から成る弾性層と、この弾性層を被覆し、ＰＦＡ等のフッ素樹脂から成る離型層と、を備えている。
【００４２】
加圧ローラー２２は、ハウジング２０の第２フレーム部材３０に設けられた加圧ローラー収容部３１に収容されている。加圧ローラー２２は、支持部材（図示せず）を介してハウジング２０に回転可能に支持されている。
【００４３】
加圧ローラー２２は、付勢部材（図示せず）の付勢力によって定着ローラー２１に圧接しており、定着ローラー２１との間に定着ニップ２９を形成している。そして、この定着ニップ２９を用紙が通過することで、用紙とトナー像が加熱及び加圧されて、用紙にトナー像が定着されるようになっている。
【００４４】
カバー部材２３は、左右方向に長い形状を成している。カバー部材２３は、下側部分３６と、下側部分３６に一体化される上側部分３７と、を備えている。
【００４５】
カバー部材２３の下側部分３６の前端部は、左右方向に延びる回転軸３８に取り付けられており、この回転軸３８を中心にカバー部材２３が上下方向に回転することで、カバー部材２３がハウジング２０に対して開閉されるようになっている（図２の二点鎖線参照）。
【００４６】
図３に示されるように、カバー部材２３の下側部分３６の右縁部には、押圧片３９が下方に向かって突設されている。押圧片３９には、後下方に傾斜する押圧面４０が形成されている。カバー部材２３の下側部分３６の右縁部には、押圧片３９の後方に、フック４１が下方に向かって突設されている。
【００４７】
図４に示されるように、カバー部材２３の上側部分３７は、平板状の本体部４２と、本体部４２の前後両端から下方に向かって屈曲される屈曲部４３（図４では前側の屈曲部４３のみを表示）と、を備えている。本体部４２の上面の左後隅部には、突起部４４が設けられている。突起部４４は、回転軸３８から離間する側の端部に配置されている。図２に示されるように、回転軸３８には、排出ローラー４５が回転可能に支持されている。
【００４８】
ガイド部材２４は、左右方向に長い形状を成している。ガイド部材２４の下端側には、軸部（図示せず）が設けられており、この軸部を中心にガイド部材２４が回転するように構成されている。
【００４９】
次に、画像読取装置１８について説明する。
【００５０】
画像読取装置１８は、例えば、ＩＳＵ（イメージスキャナーユニット）によって構成されている。図５に示されるように、画像読取装置１８は、直方体の箱型形状を成す筐体４６と、筐体４６に収容される駆動機構４７と、駆動機構４７と共に筐体４６に収容される読取ユニット４８と、を備えている。
【００５１】
筺体４６は、定着装置１６のカバー部材２３の上側に配置されている。筐体４６の上面側は開口されており、この開口部を覆うようにして、矩形状のコンタクトガラス５１が筐体４６に取り付けられている。なお、図５、図６では、筐体４６の内部を分かり易く表示するために、コンタクトガラス５１の一部のみが表示されている。
【００５２】
図６に示されるように、筐体４６の左前部には、ホームポジションセンサー５３が配置されており、このホームポジションセンサー５３によって、読取ユニット４８がホームポジション（図５参照）にあるか否かを検知できるようになっている。
【００５３】
図６に示されるように、筐体４６の底壁５４の上面の左後部には、前後一対の支持片５５が突設されている。筐体４６の底壁５４の左後部には、前後一対の支持片５５の右方に、貫通穴５６が上下方向に穿設されている。
【００５４】
図６に示されるように、駆動機構４７は、無端状の駆動ベルト５７を備えている。駆動ベルト５７は、左右方向に延びている。駆動ベルト５７の左右両端部は、左右一対のプーリー５８に巻き掛けられている。左右一対のプーリー５８のいずれか一方は、駆動モーター（図示せず）に接続されており、駆動モーターを駆動させて左右一対のプーリー５８のいずれか一方を回転させることで、駆動ベルト５７が走行するようになっている。
【００５５】
図５に示されるように、読取ユニット４８は、前後方向に細長い形状を成している。読取ユニット４８は、筐体４６によって左右方向（水平方向）に移動可能に支持されている。読取ユニット４８は、駆動機構４７の駆動ベルト５７に接続されており、駆動モーター（図示せず）によって駆動ベルト５７を走行させると、読取ユニット４８が左右方向（水平方向）に移動する（図５の矢印Ｙ参照）。これに伴って、コンタクトガラス５１の上面に載置された原稿を読取ユニット４８が読み取るようになっている。
【００５６】
図６に示されるように、画像読取装置１８の筐体４６の左後部には、検知機構６０が配置されている。
【００５７】
図７及び図８に示されるように、検知機構６０は、筐体４６の底壁５４の上面に固定される光学式センサー６１と、光学式センサー６１の右側に設けられるアクチュエーター６２と、を備えている。検知機構６０は、アクチュエーター６２の一部を除き、筐体４６に収容されている。
【００５８】
光学式センサー６１は、例えばＰＩセンサー（Photo Interrupter Sensor）であり、発光部６３と、発光部６３の後方に配置される受光部６４と、を備えている。
【００５９】
アクチュエーター６２は、前後方向に延びる揺動軸６５を備えている。揺動軸６５の前後両端部は、前後一対の支持片５５に取り付けられている。
【００６０】
アクチュエーター６２は、揺動軸６５から左上側（光学式センサー６１と近接する側）に向かって延びる第１腕部６６を備えている。第１腕部６６の先端部（揺動軸６５から離間する側の端部）には、左側に向かって屈曲される被検知片６７が設けられている。以下、光学式センサー６１の発光部６３から受光部６４に至る光路を被検知片６７が連通させる位置（図７参照）を、アクチュエーター６２の「連通位置」と称する。これに対して、光学式センサー６１の発光部６３から受光部６４に至る光路を被検知片６７が遮断する位置（図８参照）を、アクチュエーター６２の「遮断位置」と称する。アクチュエーター６２は、連通位置と遮断位置の間で揺動軸６５を中心に揺動可能となっている。
【００６１】
アクチュエーター６２は、揺動軸６５から右側（光学式センサー６１と離間する側）に向かって延びる第２腕部６８を備えている。第２腕部６８の先端部（揺動軸６５から離間する側の端部）には、下側に向かって屈曲される被押圧部６９が設けられている。被押圧部６９は、アクチュエーター６２が連通位置にある状態（図７参照）において、筐体４６の底壁５４に設けられた貫通穴５６を貫通し、筐体４６の底壁５４の下方に突出している。
【００６２】
図９に示されるように、複合機本体２の後面側には、リアカバー８１（外装カバー）が取り付けられている。
【００６３】
リアカバー８１は、下端側を中心に回転することで、複合機本体２に対して開閉されるように構成されている。リアカバー８１は、閉止状態（図９の二点鎖線参照）において、定着装置１６の後側を覆うように構成されている。
【００６４】
リアカバー８１の内面の右上隅部（図９の図面上は左上隅部）には、干渉片８２が設けられている。干渉片８２は、鉛直部８３と、鉛直部８３の下端から左方（図９の図面上は右方）に向かって屈曲される水平部８４と、を備えており、Ｌ字状を成している。
【００６５】
図１０に示されるように、定着装置１６の右上方（図１０の図面上は左上方）には、レバー７１が設けられている。
【００６６】
図３に示されるように、レバー７１は、上下方向に延びる円筒状の軸部７２を備えている。軸部７２は、複合機本体２に回転可能に取り付けられている。そのため、レバー７１は、軸部７２を中心に水平方向に回転可能となっている。
【００６７】
レバー７１は、軸部７２から後方に向かって延びる第１アーム７３を備えている。第１アーム７３の先端部（軸部７２から離間する側の端部）には、干渉部７４が設けられている。レバー７１は、干渉部７４をリアカバー８１の干渉片８２と干渉させる干渉位置（図１０（ａ）参照）と、干渉部７４をリアカバー８１の干渉片８２とは干渉させずにリアカバー８１の閉止を許容する干渉解除位置（図１０（ｂ）参照）との間で、軸部７２を中心に回転可能となっている。レバー７１は、付勢手段（図示せず）の付勢力によって、干渉位置（図１０（ａ）参照）に付勢されている。
【００６８】
干渉部７４の右縁部（図３の図面上は左縁部）には、上下方向に延びる突条７５が設けられている。突条７５は、レバー７１が干渉位置（図１０（ａ）参照）にある状態において、複合機本体２に設けられた係止部（図示せず）に係止されるように構成されている。このように突条７５が係止部（図示せず）に係止されることで、レバー７１が干渉位置（図１０（ａ）参照）に保持されるようになっている。
【００６９】
図３に示されるように、レバー７１は、軸部７２から左方（図３の図面上は右方）に向かって延びる第２アーム７６を備えている。第２アーム７６の先端部（軸部７２から離間する側の端部）には、後下方に傾斜する被押圧面７７が形成されている。
【００７０】
図１１に示されるように、複合機本体２の前面側には、操作表示部８５が設けられている。
【００７１】
操作表示部８５は、排紙トレイ４よりも上方に配置されており、前方に向かって突出している。操作表示部８５の中央部には、矩形状の液晶パネル８６が設けられている。操作表示部８５には、多数の操作キー８７が設けられている。多数の操作キー８７は、例えば、スタートキー、ストップ／クリアキー、電源キー、テンキー等を含んでいる。
【００７２】
次に、複合機１の制御システムについて、主に図１２を用いて説明する。
【００７３】
複合機１には、制御部９１が設けられている。制御部９１は、ＲＯＭ、ＲＡＭ等の記憶装置で構成される記憶部９２と接続されており、記憶部９２に格納された制御プログラムや制御用データに基づいて、制御部９１が複合機１の各部の制御を行っている。
【００７４】
制御部９１は、操作表示部８５と接続されており、制御部９１からの信号に基づいて、操作表示部８５の液晶パネル８６に複合機１の状態が表示されるようになっている。
【００７５】
制御部９１は、ホームポジションセンサー５３に接続されており、読取ユニット４８がホームポジションにあるか否かをホームポジションセンサー５３が検知すると、その検知結果が制御部９１に出力されるようになっている。
【００７６】
制御部９１は、検知機構６０に接続されており、検知機構６０が定着装置１６のカバー部材２３の開閉を検知すると、その検知結果が制御部９１に出力されるようになっている。
【００７７】
制御部９１は、モーター等によって構成される駆動源９３に接続されており、駆動源９３は、定着ローラー２１に接続されている。そして、制御部９１からの信号に基づいて駆動源９３が定着ローラー２１を回転させるようになっている。
【００７８】
制御部９１は、ヒーター３４に接続されている。そして、制御部９１からの信号に基づいてヒーター３４が通電して発熱することで、ヒーター３４によって定着ローラー２１が加熱されるように構成されている。
【００７９】
上記のように構成されたものにおいて、ＪＡＭ処理を行う場合の手順について、以下に説明する。複合機１の電源が投入されている前提で説明を行う。
【００８０】
定着装置１６の内部でＪＡＭが発生すると、ユーザーやサービスマン等の操作者は、図１３に示されるように、リアカバー８１を開放する。次に、操作者は、図１３に矢印Ａで示されるように、定着装置１６のカバー部材２３の後端側を持ち上げる。これにより、図１４に示されるように、カバー部材２３が上方に回転して開放される。この状態で、ＪＡＭ処理が行われる。
【００８１】
上記のように定着装置１６のカバー部材２３が上方に回転して開放されると、カバー部材２３の突起部４４がアクチュエーター６２の被押圧部６９を上方に押圧する。これにより、アクチュエーター６２が揺動軸６５を中心に連通位置（図７参照）から遮断位置（図８参照）まで揺動する。これに伴って、カバー部材２３が開放されたことを検知機構６０が検知する。この検知結果は、制御部９１に送信される。
【００８２】
制御部９１は、カバー部材２３が開放されている旨の検知結果を検知機構６０から受信すると、操作表示部８５に信号を送る。操作表示部８５は、制御部９１からの信号に基づいて、カバー部材２３が開放されている旨を液晶パネル８６に表示する。これにより、カバー部材２３が開放されていることが、操作者に報知される。
【００８３】
上記のようにカバー部材２３が開放されると、付勢手段（図示せず）の付勢力によってレバー７１が干渉解除位置（図１０（ｂ）参照）から干渉位置（図１０（ａ）参照）まで回転する。この状態でリアカバー８１を閉止しようとすると、レバー７１の干渉部７４がリアカバー８１の干渉片８２と干渉することで、リアカバー８１が閉止されにくくなる。
【００８４】
一方で、図３に矢印Ｂで示されるように、カバー部材２３が下方に回転して閉止されると、カバー部材２３の押圧片３９の押圧面４０がレバー７１の第２アーム７６の被押圧面７７を押圧する。この押圧により、図３に矢印Ｃで示されるように、レバー７１が軸部７２を中心に干渉位置から干渉解除位置まで回転する。これに伴って、図１０（ｂ）に示されるように、レバー７１の干渉部７４がリアカバー８１の干渉片８２とは干渉しない位置まで移動する。そのため、リアカバー８１の閉止が許容される。
【００８５】
また、カバー部材２３が閉止されると、カバー部材２３の突起部４４によるアクチュエーター６２の被押圧部６９に対する押圧が解除され、アクチュエーター６２が遮断位置から連通位置まで自重で揺動する。これにより、検知機構６０は、カバー部材２３が閉止されたことを検知する。この検知結果は、制御部９１に送信される。
【００８６】
制御部９１は、カバー部材２３が閉止されている旨の検知結果を検知機構６０から受信すると、操作表示部８５に信号を送る。操作表示部８５は、制御部９１からの信号に基づいて、カバー部材２３が開放されている旨の表示を解除する。
【００８７】
以上のように、本実施形態の複合機１は、カバー部材２３の開閉を検知する検知機構６０と、カバー部材２３が開放されていることを検知機構６０が検知した場合に、カバー部材２３が開放されていることを操作者に報知する操作表示部８５と、を備えている。このような構成を採用することで、カバー部材２３が開放されていることを操作者に認識させることができ、操作者がカバー部材２３を閉め忘れるのを確実に防止することが可能となる。そのため、カバー部材２３が開放されたままの状態で操作者がリアカバー８１を閉止するような事態を回避することが可能となり、これに伴って、複合機１の構成部品（例えば、レバー７１やリアカバー８１）の破損を防止することができる。
【００８８】
また、検知機構６０は、アクチュエーター６２の被押圧部６９を除き、画像読取装置１８の筐体４６に収容されている。このような構成を採用することで、筐体４６の内部のスペースを検知機構６０の設置スペースとして利用することができ、省スペース化を図ることが可能となる。
【００８９】
また、カバー部材２３が上方に回転して開放されると、カバー部材２３がアクチュエーター６２を押圧し、アクチュエーター６２が連通位置から遮断位置まで揺動するようになっている。このような構成を採用することで、簡易な構成によってカバー部材２３の開閉を確実に検知することが可能となる。
【００９０】
また、アクチュエーター６２の被押圧部６９は、筐体４６の底壁５４に設けられた貫通穴５６を貫通し、底壁５４の下方に突出している。このような構成を採用することで、カバー部材２３によってアクチュエーター６２を確実に押圧することが可能となる。更に、カバー部材２３は、アクチュエーター６２の被押圧部６９を押圧可能な突起部４４を備えている。このような構成を採用することで、カバー部材２３によってアクチュエーター６２を一層確実に押圧することが可能となる。
【００９１】
また、カバー部材２３が閉止されると、カバー部材２３がレバー７１を押圧し、レバー７１が干渉位置から干渉解除位置まで回転するようになっている。このような構成を採用することで、カバー部材２３が開放されている状態においては、干渉位置にあるレバー７１がリアカバー８１と干渉することで、リアカバー８１が閉止されにくくなる。そのため、カバー部材２３が開放されたままの状態でリアカバー８１を操作者が閉止するような事態を、一層確実に回避することが可能となる。
【００９２】
また、カバー部材２３が開放されている旨を表示する操作表示部８５を報知部として用いている。このような構成を採用することで、カバー部材２３が開放されていることを操作者に確実に認識させることができる。
【００９３】
本実施形態では、カバー部材２３が上方に回転して開放された場合に、アクチュエーター６２が連通位置から遮断位置まで揺動する場合について説明した。一方で、他の異なる実施形態では、カバー部材２３が上方に回転して開放された場合に、アクチュエーター６２が遮断位置から連通位置まで揺動しても良い。
【００９４】
本実施形態では、操作表示部８５を報知部として用いる場合について説明したが、他の異なる実施形態では、警告音を発する警報部等を報知部として用いても良い。
【００９５】
本実施形態では、第１回転体を定着ローラー２１によって構成し、第２回転体を加圧ローラー２２によって構成する場合について説明した。一方で、他の異なる実施形態では、第１回転体と第２回転体の一方又は両方をベルトによって構成しても良い。
【００９６】
本実施形態では、熱源としてヒーター３４を用いる場合について説明したが、他の異なる実施形態では、例えばＩＨコイル等の他の熱源を用いても良い。
【００９７】
本実施形態では、複合機１に本発明の構成を適用する場合について説明したが、他の異なる実施形態では、プリンター、複写機、ファクシミリ等の他の画像形成装置に本発明の構成を適用することも可能である。
【符号の説明】
【００９８】
１  複合機（画像形成装置）
２  複合機本体（装置本体）
１６  定着装置
１８  画像読取装置
２０  ハウジング
２１  定着ローラー（第１回転体）
２２  加圧ローラー（第２回転体）
２３  カバー部材
２９  定着ニップ
４４  突起部
４６  筐体
４８  読取ユニット
５４  底壁
５６  貫通穴
６０  検知機構
６１  光学式センサー
６２  アクチュエーター
６３  発光部
６４  受光部
７１  レバー
８１  リアカバー（外装カバー）
８５  操作表示部（報知部）
【図１】
2014215523.tif 000003
【図２】
2014215523.tif 000004
【図３】
2014215523.tif 000005
【図４】
2014215523.tif 000006
【図５】
2014215523.tif 000007
【図６】
2014215523.tif 000008
【図７】
2014215523.tif 000009
【図８】
2014215523.tif 000010
【図９】
2014215523.tif 000011
【図１０】
2014215523.tif 000012
【図１１】
2014215523.tif 000013
【図１２】
2014215523.tif 000014
【図１３】
2014215523.tif 000015
【図１４】
2014215523.tif 000016